(57)【特許請求の範囲】
【請求項１】
河川の既設の護岸コンクリート壁に対して、この河川の平水位での水面から２０〜４０ｃｍの高さ位置に、この護岸コンクリート壁の表面から裏込め材にまで達する貫通孔を設け、
この貫通孔に現地の砂利または砂を詰め込み、
この現地の砂利または砂を詰め込むとともに、ネコヤナギの挿し木を植え付けたポットを、この貫通孔に差し込んで固定し、
このネコヤナギの挿し木の頭部をこの貫通孔の先端開口より５〜７ｃｍだけ表側に突出させたネコヤナギを用いた既設のコンクリート護岸における水辺の環境改善工法であって、
上記ポットは、竹製の有底円筒体で、その底板には根通し孔が形成されるとともに、その周壁にはポットの長さ方向を基準にして斜めに延びるスリットが形成されたネコヤナギを用いた既設のコンクリート護岸における水辺の環境改善工法。
【発明の詳細な説明】
【技術分野】
【０００１】
この発明はネコヤナギを用いた既設のコンクリート護岸における水辺の環境改善工法、詳しくは河川の水辺をネコヤナギにより緑化するため、既設の護岸では護岸コンクリート壁に孔を開け、ネコヤナギの挿し木を護岸に植え込むネコヤナギを用いた既設のコンクリート護岸における水辺の環境改善工法に関する。
【背景技術】
【０００２】
近年、河川の水辺には、洪水時の河岸崩壊を防止するため、コンクリート構造物により川岸を覆う護岸工事がなされている。しかしながら、コンクリート護岸とすれば無機質で殺風景な水辺となる。そこで、これを解消する従来技術として、例えば特許文献１のようなコンクリート護岸の緑化工法が知られている。特許文献１は、護岸用のコンクリートブロックに形成された孔部に突出手段の脚部を挿入して固定し、突出手段に蔦性植物を絡ませてコンクリート護岸を緑化するものである。蔦性植物の根は、コンクリートブロックの水面部分の表面に固定された金網製の植生バスケット内の土に植え込まれている。植生バスケットはその下部が水面下に配置され、河川の水を利用して蔦性植物を生育させていた。
【特許文献１】特開平１１−２９３６４８号公報
【発明の開示】
【発明が解決しようとする課題】
【０００３】
しかしながら、特許文献１のコンクリート護岸の緑化工法では、蔦性植物を利用した緑化であるため、コンクリートブロックの表面付近のみが蔦性植物によって被われる平面的な緑化に過ぎなかった。これにより、植え込まれた植物によって河川の水際に形成される緑陰を再生することはできなかった。この緑陰は、河川の水際に集う昆虫類、および、河川に生息する魚、水生昆虫などの住処、避難・隠れ場や産卵場である。
【０００４】
そこで、発明者は、鋭意研究の結果、河川に緑陰を再生するために最適な植物としては、裏込め材、その下の土壌への活着力・緊縛力が強く、水中でも多くの根を張って護岸がより安定な状態となるネコヤナギが最適であり、例えば１２月〜４月の間の挿し木による植え込みであっても、洪水が多発する５月〜７月の雨期を乗り越えさえすれば、ネコヤナギが深く根を張り、次年度からは仮に洪水にみまわれたとしても、ネコヤナギの根が引き抜かれる心配はないことを知見し、この発明を完成させた。
【０００５】
この発明は、水辺に緑陰を低コストで再生することができ、裏込め材などへの緊縛力が強く、護岸がより安定な状態となるとともに、植え込み初期の洪水時にもネコヤナギの挿し木の流失を防止することができるネコヤナギの挿し木を用いた既設のコンクリート護岸における水辺の環境改善工法を提供することを、その目的としている。
【課題を解決するための手段】
【０００６】
請求項１に記載の発明は、河川の既設の護岸コンクリート壁に対して、この河川の平水位での水面から２０〜４０ｃｍの高さ位置に、この護岸コンクリート壁の表面から裏込め材にまで達する貫通孔を設け、この貫通孔に現地の砂利または砂を詰め込み、この現地の砂利または砂を詰め込むとともに、ネコヤナギの挿し木を植え付けたポットを、この貫通孔に差し込んで固定し、このネコヤナギの挿し木の頭部をこの貫通孔の先端開口より５〜７ｃｍだけ表側に突出させたネコヤナギを用いた既設のコンクリート護岸における水辺の環境改善工法であって、上記ポットは、竹製の有底円筒体で、その底板には根通し孔が形成されるとともに、その周壁にはポットの長さ方向を基準にして斜めに延びるスリットが形成されたネコヤナギを用いた既設のコンクリート護岸における水辺の環境改善工法である。
【０００７】
請求項１に記載の発明によれば、河川に既に築造された護岸コンクリート壁に対して、水面から２０〜４０ｃｍの高さ位置に、護岸コンクリート壁の表面から裏込め材まで達する貫通孔を形成する（孔形成工程）。その後、貫通孔に砂利または砂を詰め、この詰め込み作業と同時またはこの作業後、用土としての砂利または砂にネコヤナギの挿し木を植え込む（植え込み工程）。また、この植え込み作業と同時またはこの作業後、砂利または砂に植え込まれた挿し木の頭部を、貫通孔の先端開口より５〜７ｃｍだけ突出させて固定し（固定工程）、ネコヤナギを護岸コンクリート壁に植設する。
【０００８】
このようにして、水面（平水位）から２０〜４０ｃｍの高さ位置に、しだれ状の多数本の柳枝を垂らすネコヤナギを生育させるので、成長に伴って根が延び、護岸コンクリート壁が設置されている裏込め材、その下の土壌（地盤）に根が張り、周囲の地盤との結合が強固なものとなる。これにより、ネコヤナギを利用して護岸をより安定な状態とすることができる。しかも、川辺に短期間のうちに低コストで緑陰を再生することができる。さらに、ネコヤナギの挿し木は貫通孔内で固定されるので、仮に根の張りが十分でない植設直後の洪水時でも、ネコヤナギが砂利または砂から引き抜かれて流失するおそれが少ない。
【０００９】
「水面から２０〜４０ｃｍの高さ位置」とは、水面より上方へ２０ｃｍから、水面より上方へ４０ｃｍの高さ位置までの範囲をいう。
ネコヤナギの植設場所は、河川護岸の法面である。植設場所を法面とすれば、ネコヤナギに対する太陽光の照射が斜め方向となり、ネコヤナギへの日光の照射面積が拡大され、ネコヤナギの生育を早められる。
ネコヤナギが植設されるのは、既設の護岸コンクリート壁である。
護岸コンクリート壁は、多数のコンクリートブロックを組み上げたブロック式の壁、または、型枠にコンクリートを流し込み、これを養生して固化したコンクリート打設式の壁でもよい。コンクリートの種類は任意である。例えば、多数の微細な貫通孔を含むポーラスコンクリートでもよい。
【００１０】
ネコヤナギが植設されるのは、護岸コンクリート壁の水面から２０〜４０ｃｍの高さ位置の全域でも、その一部（高さ方向の一部または横方向の一部）でもよい。ネコヤナギが植設される高さが、水面から上方へ２０ｃｍ未満であれば、護岸コンクリート壁への貫通孔の穿孔が困難であるとともに、貫通孔内の砂利または砂が河川の水に接し易く、この砂利または砂が流出するおそれがある。また、水面から上方へ４０ｃｍを超えれば、ネコヤナギの枝が水面に達しない。護岸コンクリート壁におけるネコヤナギが植設される好ましい高さの範囲は、水面から上方へ２０〜４０ｃｍである。この範囲であれば、ネコヤナギの枝が水中に入り、その枝より多数の細い根が出るというさらに好適な効果が得られる。
貫通孔は、コンクリート護岸の表面から裏込め材まで達する孔で、その直径は例えば５〜７．５ｃｍである。貫通孔は、この貫通孔を介して貫通孔の底部に対応する部分の裏込め材を抜き取って形成された空間と連通状態でもよい。貫通孔の直径が５ｃｍ未満では  用土の量が少なくなり、施工が難しくなる。また、７．５ｃｍを超えれば、孔形成工程に時間を要し、費用が増大する。貫通孔の好ましい直径は、５〜７．５ｃｍである。この範囲であれば、当初の目的を達し、かつ費用が低減するというさらに好適な効果が得られる。
【００１１】
護岸コンクリート壁への貫通孔の形成ピッチは、横１００〜３００ｃｍ間隔である。１００ｃｍ間隔未満では、ネコヤナギが成長した場合、過密になる。また、３００ｃｍ間隔を超えれば、ネコヤナギの林（グリーンベルト）という感じがなくなる。護岸コンクリート壁への貫通孔の好ましい形成ピッチは、横１５０〜２００ｃｍ間隔である。この範囲であれば、２〜３年でネコヤナギの林を形成することができる。
【００１２】
用土としては、現地の砂利、砂を使用する。
ネコヤナギの挿し木の長さは、１０〜４０ｃｍである。１０ｃｍ未満では、ネコヤナギの挿し木と筒の固定が難しい。また、４０ｃｍを超えれば、洪水時、貫通孔から突出した挿し木の頭部に異物が引っ掛かり、挿し木が引き抜かれるおそれがある。ネコヤナギの挿し木の好ましい長さは、２０〜３０ｃｍである。この範囲であれば、当初の目的を達し、洪水時でも挿し木の頭部に異物が引っ掛かって引き抜かれることはない。
貫通孔の先端開口より突出される挿し木の頭部の高さが、貫通孔の先端開口より０ｃｍ未満では、苗木の頭部または挿し木の頭部において、発芽する葉痕の数が２つ未満となるおそれがある。また、３０ｃｍを超えれば、護岸の表面から突出する苗木の頭部または挿し木の頭部の突出長さが長くなり、異物が引っ掛かりやすくなる。貫通孔の先端開口より突出される挿し木の頭部の好ましい高さは、貫通孔の先端開口より５．０〜７．０ｃｍである。この範囲であれば、挿し木の頭部に異物が引っ掛かり難く、洪水時でも引き抜かれるおそれが少ないとともに、発芽する葉痕の数を２つ以上確保することができるというさらに好適な効果が得られる。
【００１３】
植え込み時には、ポットに用土を天端（先端開口）から５ｃｍ下方の位置まで詰めるとともに、用土にネコヤナギの挿し木をポット天端から下方５ｃｍ以内に紐により固定して植え込む。その後、ポットを貫通孔に挿入して固定する。有底円筒体であるポットを使用するので、ネコヤナギの植え込み作業の一部（有底円筒体への植え込み）を、現場でなく工場内で行うことも可能となる。これにより、現場での工期の短縮を図ることができる。
【００１４】
ポットの素材は竹である。
ポットの直径は、ポットが挿入される貫通孔の直径より５〜１０ｍｍ小径なものを採用することができる。例えば４．５〜６ｃｍである。ポットの長さは任意で、護岸コンクリート壁と同じ長さでも、それより長くてもよい。例えば、２００〜４００ｍｍである。
なお、ポットの底板に根通し穴を形成しているため、この根通し穴を介してネコヤナギの根を裏込め材、その下の土壌へと成長させ、ネコヤナギの成長をさらに促進させることができるとともに、護岸をより安定な状態とすることができる。
また、ポットの周壁に、このポットの周方向へ一定ピッチで、かつポットの長さ方向を基準にして傾斜したスリット（螺旋状の根通し穴）を複数本形成することにより、植え込まれたネコヤナギの挿し木から伸びた根を、ポットの周方向および長さ方向へ均一に配置させることができる。
さらに、ポットの頭部は、護岸コンクリート壁の貫通孔より２〜５ｃｍ突出させた方が好ましい。これは、仮にポットの開口の高さと、護岸コンクリート壁の貫通孔の開口の高さとを揃えた場合には、洪水時、氾濫する水は護岸コンクリート壁の表面に沿って流れてポットの開口からその筒内に流れ込み、ネコヤナギの挿し木が流出するおそれが高い。しかしながら、ポットの頭部を護岸コンクリート壁の貫通孔より２〜５ｃｍ突出させれば、護岸コンクリート壁の表面に沿って勢いよく流れる水が、直接、有底筒内に流れ込まない。その結果、洪水時にネコヤナギの挿し木が流出するおそれを低減することができる。
【発明の効果】
【００１５】
請求項１に記載の発明によれば、河川に既設の護岸コンクリート壁に対して、水面から２０〜４０ｃｍの高さ位置に、しだれ状の多数本の柳枝を垂らすネコヤナギを生育させるので、成長に伴って根が延び、護岸コンクリート壁が設置されている裏込め材、その下の土壌に根が張り、周囲の地盤との結合が強固なものとなる。これにより、ネコヤナギを利用して護岸をより安定な状態とすることができる。しかも、川辺に短期間のうちに低コストで緑陰を再生することができる。さらに、ネコヤナギの挿し木は貫通孔内で固定されるので、仮に根の張りが十分でない植設直後の洪水時でも、ネコヤナギが砂利または砂から引き抜かれて流失するおそれが少ない。
【００１６】
植え込み時、貫通孔に挿入されるポットを使用するので、ネコヤナギの植え込み作業の一部（ポットへの植え込み）を、現場でなく工場内で行うことも可能となる。これにより、現場での工期の短縮を図ることができる。また、施工後には、根通し穴を介してネコヤナギの根を裏込め材、その下の土壌へと成長させ、ネコヤナギの成長をさらに促進させることができるとともに、護岸をより安定な状態とすることができる。
【発明を実施するための最良の形態】
【００１７】
以下、この発明の実施例を説明する。ここでは、多数のコンクリートブロックを組み上げて河川の水辺に既設された護岸コンクリート壁への施工例を示す。
【実施例１】
【００１８】
図１〜図７を参照して、この発明の実施例１に係るネコヤナギの挿し木を用いた既設のコンクリート護岸における水辺の環境改善工法を説明する。
まず、図１〜図４に示すように、実施例１のネコヤナギの挿し木を用いた既設のコンクリート護岸における水辺の環境改善工法では、多数のプレキャストブロック（コンクリートブロック）１０を組み上げて設けられたコンクリート護岸部１１に対して、水面から上方へ２０〜４０ｃｍの高さ位置に、コンクリート護岸部１１の表面から裏込め部（裏込め材）１２まで達する穿孔部（貫通孔）１３（直径７．５ｃｍ、深さ３５ｃｍ）を、電動式のコアボーリングマシン（コンクリート穿孔機）１５を利用して穿孔する（孔形成工程）。
具体的には、水面から上方へ２０ｃｍの高さに配置されたプレキャストブロック１０の表面に、ホールインアンカ１６によりコアカッタ装置１５の支柱１７を、プレキャストブロック１０の表面に長さ方向が直交するように固定する。支柱１７には、駆動部１８がスライダ１９を介して昇降自在に連結されている。駆動部１８の下部には出力軸２０が下方に突出し、出力軸２０の先端部に長尺なコアカッタ（工具）２１の元部が固定されている。駆動部１８によりコアカッタ２１を回転させながら、支柱１７をガイドにして駆動部１８を除々に降下させる。これにより、プレキャストブロック１０の表面から裏込め部１２まで達する穿孔部１３を形成する。上述した作業を、水面から上方へ２０ｃｍの高さ位置において、護岸に沿って水平方向に１５０ｃｍピッチで順次行う。
【００１９】
一方、各穿孔部１３に挿入される多数本の竹ポット（ポット）２２を工場内で大量に作製する。竹ポット２２は直径６ｃｍ、長さ３０ｃｍの有底円筒体で、底板２２ｂ（節）の中央部に水はけ孔（根通し穴）２２ａが形成されている。
竹ポット２２の周壁には、幅２ｍｍ、長さ１００ｍｍのスリット（根通し穴）２３が２〜４本、竹ポット２２の長さ方向を基準にして斜めに形成されている（図２および図３）。このように、竹ポット２２の周壁にその周方向へ一定ピッチで、かつその長さ方向を基準にして傾斜したスリット２３を複数本形成すれば、植え込まれたネコヤナギの挿し木２５から伸びた根を、竹ポット２２の周方向および長さ方向へ均一に張らせることができる。
次に、各竹ポット２２に用土２４を詰め込むとともに、詰め込まれた用土２４にネコヤナギの挿し木２５を植え込む（植え込み工程）。用土２４には、現場付近の砂利が使用されている。挿し木２５も、現場付近に生息するネコヤナギの枝から作製されたものを使用している。このように、現場付近で調達した用土２４および挿し木２５を使用することで、別の場所から調達した用土２４，挿し木２５を採用した場合に比べて、ネコヤナギの生育環境をより好適なものにすることができる。
【００２０】
用土２４の一部は裏込め部１２まで達している。挿し木２５は、長さ２５ｃｍ、２年以上の成長幹のものである。植え込み時、挿し木２５の頭部には、穿孔部１３の先端開口より１０ｃｍだけ突出させて固定する（固定工程）。挿し木２５の固定には、固定用麻紐２６と、用土押え材２７とを使用する。固定用麻紐２６による挿し木２５の頭部の固定方法としては、竹ポット２２の開口部の周りに１８０°毎に形成された２つの紐通し孔に固定用麻紐２６を順次通しながら、竹ポット２２の開口部の中心に配置された挿し木２５の頭部を、二方向へ引っ張ることで固定する。
用土押え材２７は、布（端切れ）、岩ゴケ類である。用土押え材２７による挿し木２５の固定方法は、竹ポット２２内に用土押え材２７を挿入し、この用土押さえ材２７により挿し木２５の頭部付近を押さ付ける。
【００２１】
次に、各穿孔部１３に用土２４を充填するとともに、竹ポット２２を挿入する。このとき、竹ポット２２の開口部が、穿孔部１３の開口から５ｃｍだけ突出するように、竹ポット２２の挿入深さを調整する。
ここでは、竹ポット２２の頭部を、コンクリート護岸部１１の穿孔部１３より５ｃｍだけ突出させている。これは、仮に竹ポット２２の開口（先端）の高さと、穿孔部１３の開口の高さとを揃えた際に生じる不都合を解消するためである。すなわち、洪水時、氾濫した水はコンクリート護岸部１１の表面に沿って流れ、竹ポット２２の開口からその筒内に流れ込み、挿し木２５が流出するおそれがある。しかしながら、竹ポット２２の頭部をコンクリート護岸部１１の穿孔部１３より５ｃｍだけ突出させたことで、コンクリート護岸部１１の表面に沿って勢いよく流れる水、砂が、直接、竹ポット２２内へ流れ込み難くなる。その結果、洪水時に用土２４や挿し木２５が流出するおそれが低減される。
【００２２】
また、穿孔部１３からの竹ポット２２の抜けを防止するため、穿孔部１３の開口部と竹ポット２２の開口部との隙間には、竹ポット２２の周りに１２０°ごと、３本の竹クサビ２８が打ち込まれている（図４）。これにより、穿孔部１３に竹ポット２２がしっかりと固定される。穿孔部１３と竹ポット２２との両開口の隙間には、モルタルを充填してもよい。
その後、竹ポット２２の内部空間において、挿し木２５の埋設部から新しい根２９が発根（不定根）するとともに、挿し木２５の用土から露出した部分から萌芽し、ネコヤナギが成長する。なお、ネコヤナギの根２９は、竹ポット２２の底板２２ｂの水はけ孔２２ａおよびスリット２３を通って下方へ伸び、裏込め部１２へと根を張る（図６矢印）。これにより、約１２ヶ月後には、枝先が川面付近に到達するまでに柳枝３０が生長する（図７）。
【００２３】
このように、コンクリート護岸部１１の水面から上方へ２０〜４０ｃｍの高さ位置に、ネコヤナギの挿し木２５を植え込むようにしたので、挿し木２５の成長に伴い、コンクリート護岸部１１が設置されている裏込め部１２、その下の土壌（地盤）に根が張り、周囲の地盤との結合が強固なものとなる。その結果、ネコヤナギを利用して護岸をより安定な状態とすることができる。しかも、川辺に短期間のうちに低コストで緑陰を再生することができる。さらに、ネコヤナギの挿し木２５は穿孔部１３内で固定される。そのため、仮に根２９の張りが十分でない植設直後の洪水時でも、ネコヤナギが用土２４から引き抜かれて流失するおそれが少ない。
また、植え込み時、穿孔部１３に挿入される竹ポット２２を使用するので、ネコヤナギの植え込み作業の一部（竹ポット２２への挿し木２５の植え込み）を、現場でなく工場内で行うことも可能となる。これにより、現場での工期の短縮を図ることができる。また、施工後には、水はけ孔２２ａおよびスリット２３を介してネコヤナギの根２９を裏込め部１２、その下の土壌へと成長させ、ネコヤナギの成長をさらに促進させることができるとともに、護岸をより安定な状態とすることができる。
【図面の簡単な説明】
【００２４】
【図１】この発明の実施例１に係るネコヤナギの挿し木を用いた既設のコンクリート護岸における水辺の環境改善工法を示す一部断面図を含む側面図である。
【図２】この発明の実施例１に係るネコヤナギの挿し木を用いた既設のコンクリート護岸における水辺の環境改善工法の植え込み工程の途中状態を示す一部断面図を含む正面図である。
【図３】この発明の実施例１に係るネコヤナギの挿し木を用いた既設のコンクリート護岸における水辺の環境改善工法の植え込み工程の途中状態および固定工程の完了状態を示す一部断面図を含む正面図である。
【図４】この発明の実施例１に係るネコヤナギの挿し木を用いた既設のコンクリート護岸における水辺の環境改善工法の植え込み工程および固定工程の完了状態を示す一部断面図を含む正面図である。
【図５】図４のＳ５−Ｓ５拡大断面図である。
【図６】この発明の実施例１に係るネコヤナギの挿し木を用いた既設のコンクリート護岸における水辺の環境改善工法でのネコヤナギの成長状態を示す断面図である。
【図７】この発明の実施例１に係るネコヤナギの挿し木を用いた既設のコンクリート護岸における水辺の環境改善工法での護岸コンクリート壁の緑化状態を示す断面図である。
【符号の説明】
【００２５】
１０  コンクリートブロック、
１１  コンクリート護岸部（護岸コンクリート壁）、
１２  裏込め部（裏込め材）、
１３  穿孔部（貫通孔）、
１３Ａ  植栽孔（貫通孔）、
２２  竹ポット（ポット）、
２２ａ  根通し穴、
２４  用土、
２５  挿し木。
【要約】
【課題】水辺に緑陰を低コストで再生でき、護岸がより安定し、植え込み初期の洪水時にもネコヤナギ類の苗木や挿し木の流失を防ぐネコヤナギ類の挿し木、苗木によるコンクリート護岸の緑化工法を提供する。
【解決手段】河川に既設された護岸コンクリート壁１１に、水面から２０ｃｍの高さ位置にネコヤナギを生育させるので、裏込め材１２に根２９が張り、護岸をより安定化させることができる。しかも、短期かつ低コストで緑陰を再生できる。また、ネコヤナギの挿し木２５は穿孔部１３内で固定されるので、仮に根２９の張りが十分でない植設直後の洪水時でも、ネコヤナギが用土１４から引き抜かれて流失するおそれが少ない。
【選択図】図１【図１】
0004313837.tif 000002
【図２】
0004313837.tif 000003
【図３】
0004313837.tif 000004
【図４】
0004313837.tif 000005
【図５】
0004313837.tif 000006
【図６】
0004313837.tif 000007
【図７】
0004313837.tif 000008